(57)【要約】      （修正有）【課題】アラームステータスの属性を指定する際のエンジニアリング作業負担を軽減することができるアラーム定義装置およびアラーム定義方法を提供する。【解決手段】ルール入力受付手段１１はユーザの入力操作に応じて、アラームステータスの属性を用いたアラームルールの入力を受け付ける。入力されたアラームルールは、アラームルール定義ファイル２１に格納される。属性規定手段１３は、アラームルール定義ファイル２１に格納されたアラームルールに従って、すべてのタグについてそのアラームステータスの属性を一括して定める。【選択図】図１
2010191646.tif 000002
【特許請求の範囲】
【請求項１】
プラントのアラームステータスごとにその属性を定義付けるアラーム定義装置において、
前記属性間におけるルールの入力を受け付けるルール入力受付手段と、
前記ルール入力受付手段で受け付けられたルールに従ってアラームステータスの前記属性を規定する属性規定手段と、
を備えることを特徴とするアラーム定義装置。
【請求項２】
前記属性規定手段で前記属性が規定されたアラームステータスの中から特定のアラームステータスの選択を受け付けるとともに、選択された前記特定のアラームステータスについて個別にその属性を修正する入力を受け付ける修正入力受付手段を備えることを特徴とする請求項１に記載のアラーム定義装置。
【請求項３】
前記属性には、アラームの重要度、アラームの表示形態、アラーム検出の有無、または復帰時のアラーム状態の自動消去の有無に関する属性が含まれることを特徴とする請求項１または２に記載のアラーム定義装置。
【請求項４】
プラントのアラームステータスごとにその属性を定義付けるアラーム定義方法において、
前記属性間におけるルールの入力を受け付けるステップと、
前記ルールの入力を受け付けるステップで受け付けられたルールに従ってアラームステータスの前記属性を規定するステップと、
を備えることを特徴とするアラーム定義方法。
【請求項５】
前記属性を規定するステップで前記属性が規定されたアラームステータスの中から特定のアラームステータスの選択を受け付けるとともに、選択された前記特定のアラームステータスについて個別にその属性を修正する入力を受け付けるステップを備えることを特徴とする請求項４に記載のアラーム定義方法。
【発明の詳細な説明】
【技術分野】
【０００１】
本発明は、プラントのアラームステータスごとにその属性を定義付けるアラーム定義装置およびアラーム定義方法に関する。
【背景技術】
【０００２】
フィールド制御システムではプラントにおけるアラームステータスごとにその属性が指定される。このような属性には、重要度、アラーム表示色、アラームの検出の有無、復帰時の自動消去の有無などがある。属性の指定内容はプラントごとに異なるため、あらかじめ各アラームステータスについてその属性を指定するためのエンジニアリング作業を行っている。
【先行技術文献】
【特許文献】
【０００３】
【特許文献１】特開２００６−３１８１０６号公報
【発明の概要】
【発明が解決しようとする課題】
【０００４】
しかし、アラームステータスは大量にあり、例えば、１０万タグが存在するプラントにおいては５０万個程度のアラームステータスがある。したがって、すべてのアラームステータスについて属性を指定するエンジニアリング作業には大きな負担を要する。
【０００５】
本発明の目的は、アラームステータスの属性を指定する際のエンジニアリング作業負担を軽減することができるアラーム定義装置およびアラーム定義方法を提供することにある。
【課題を解決するための手段】
【０００６】
本発明のアラーム定義装置は、プラントのアラームステータスごとにその属性を定義付けるアラーム定義装置において、前記属性間におけるルールの入力を受け付けるルール入力受付手段と、前記ルール入力受付手段で受け付けられたルールに従ってアラームステータスの前記属性を規定する属性規定手段と、を備えることを特徴とする。
このアラーム定義装置によれば、属性間におけるルールの入力を受け付けるとともに、受け付けられたルールに従ってアラームステータスの属性を一括して規定できるので、アラームステータスの属性を指定する際のエンジニアリング作業負担を軽減することができる。
【０００７】
前記属性規定手段で前記属性が規定されたアラームステータスの中から特定のアラームステータスの選択を受け付けるとともに、選択された前記特定のアラームステータスについて個別にその属性を修正する入力を受け付ける修正入力受付手段を備えてもよい。
【０００８】
前記属性には、アラームの重要度、アラームの表示形態、アラーム検出の有無、または復帰時のアラーム状態の自動消去の有無に関する属性が含まれてもよい。
【０００９】
本発明のアラーム定義方法は、プラントのアラームステータスごとにその属性を定義付けるアラーム定義方法において、前記属性間におけるルールの入力を受け付けるステップと、前記ルールの入力を受け付けるステップで受け付けられたルールに従ってアラームステータスの前記属性を規定するステップと、を備えることを特徴とする。
このアラーム定義方法によれば、属性間におけるルールの入力を受け付けるとともに、受け付けられたルールに従ってアラームステータスの属性を一括して規定できるので、アラームステータスの属性を指定する際のエンジニアリング作業負担を軽減することができる。
【００１０】
前記属性を規定するステップで前記属性が規定されたアラームステータスの中から特定のアラームステータスの選択を受け付けるとともに、選択された前記特定のアラームステータスについて個別にその属性を修正する入力を受け付けてもよい。
【発明の効果】
【００１１】
本発明のアラーム定義装置によれば、属性間におけるルールの入力を受け付けるとともに、受け付けられたルールに従ってアラームステータスの属性を一括して規定できるので、アラームステータスの属性を指定する際のエンジニアリング作業負担を軽減することができる。
【００１２】
本発明のアラーム定義方法によれば、属性間におけるルールの入力を受け付けるとともに、受け付けられたルールに従ってアラームステータスの属性を一括して規定できるので、アラームステータスの属性を指定する際のエンジニアリング作業負担を軽減することができる。
【図面の簡単な説明】
【００１３】
【図１】一実施形態のアラーム定義装置の構成を機能的に示すブロック図。
【図２】アラームルールの記述例を示す図。
【図３】表示画面上におけるアラームステータスの属性一覧の表示例を示す図。
【図４】属性一覧に対して属性の修正操作を受け付けた画面表示を示す図。
【図５】デフォルト表示をせず修正部分のみを表示する例を示す図。
【発明を実施するための形態】
【００１４】
以下、本発明によるアラーム定義装置の一実施形態について説明する。
【００１５】
図１は、本実施形態のアラーム定義装置の構成を機能的に示すブロック図である。
【００１６】
図１に示すように、本実施形態のアラーム定義装置は、属性間におけるルールの入力を受け付けるルール入力受付手段１１と、ルール入力受付手段１１で受け付けられたルールに従ってアラームステータスの属性を規定する属性規定手段１２と、属性規定手段で属性が規定されたアラームステータスの中から特定のアラームステータスの選択を受け付けるとともに、選択された特定のアラームステータスについて個別にその属性を修正する入力を受け付ける修正入力受付手段１３と、を構成する。
【００１７】
次に、本実施形態のアラーム定義装置の動作について説明する。
【００１８】
ルール入力受付手段１１はユーザの入力操作に応じて、アラームステータスの属性を用いたアラームルール（アラーム定義）の入力を受け付ける。入力されたアラームルールは、アラームルール定義ファイル２１（図１）に格納される。
【００１９】
図２は、入力されるアラームルールの記述例を示す図である。
【００２０】
図２の例では、原則的なルールとして、
（１）監視モニタにおける表示色のデフォルトは青色（blue）
（２）アラームのプライオリティのデフォルトは中位（Ｍｉｄ）
（３）アラーム状態の検出はオン（ＯＮ）
（４）アラームからの復帰時におけるアラーム状態の自動消去は実行（Ｙｅｓ）
【００２１】
また、条件付きルールとして、
（５）計器のタイプがＰＩＤの場合には、上記自動消去は実行しない（Ｎｏ）
（６）制御の目的が当該計器の稼動（React）の場合には、プライオリティは高（Ｈｉｇｈ）
（７）制御の目的が当該計器の監視（Monitor）で、かつサイトがＣ−Ｙの場合には、アラームのプライオリティは低（Ｌｏｗ）
（８）アラームのプライオリティが高（Ｈｉｇｈ）の場合には、監視モニタにおける表示色は赤色（Ｒｅｄ）
であることを示している。
【００２２】
このようなアラームルールは、プラントの実情に合わせてユーザが自由に作成することができ、ルール入力受付手段１１を介して入力される。ルール入力受付手段１１を介して入力されたアラームルールは、所定のファイル形式でアラームルール定義ファイル２１に格納される。
【００２３】
属性規定手段１２は、アラームルール定義ファイル２１に格納されたアラームルールに従って、すべてのタグについてそのアラームステータスの属性を一括して定める。プラントに存在するすべてのタグは、図１に示すタグデータ格納ファイル２３に格納されており、属性規定手段１２は、タグデータ格納ファイル２３に格納されたタグについて、上記アラームルールに従って属性を順次対応付ける。属性規定手段１２により作成されたアラームステータスの属性一覧は属性データ格納ファイル２４に格納される。
【００２４】
属性データ格納ファイル２４に格納されたアラームステータスの属性一覧は、図１に示す表示装置１４によって表示画面１５上に表示される。
【００２５】
図３は、表示画面１５上におけるアラームステータスの属性一覧の表示例を示している。
【００２６】
図３の例では、アラームステータスの属性を示す表示欄として、タグを示す表示欄５１、計器（タグ）のタイプを示す表示欄５２、サイトを示す表示欄５４、ステータスを示す表示欄５５、プライオリティを示す表示欄５６、監視モニタにおける表示色を示す表示欄５７、アラーム状態の検出の有無を示す表示欄５８、およびアラームからの復帰時におけるアラーム状態の自動消去の有無を示す表示欄５９がそれぞれ設けられている。
【００２７】
修正入力受付手段１３は、表示画面１５上のアラームステータスの属性一覧（図３）に対するユーザの操作を受け付けることで、アラームステータスについて個別にその属性の修正を受け付ける。属性の修正内容は、図１に示す個別属性定義ファイル２２に格納される。また、個別属性定義ファイル２２は属性規定手段１３により読み込まれ、属性データ格納ファイル２４に反映される。属性データ格納ファイル２４には、各アラームステータスの個々の属性がアラームルールに従ったものであるか、あるいは、個別に修正を受けたものであるかを区別した状態で、すべての属性が格納される。
【００２８】
図４は、アラームステータスの属性一覧（図３）に対して属性の修正操作を受け付けた画面表示を示している。
【００２９】
図４において、領域６１、領域６２および領域６３における表示が属性の修正を反映しており、それぞれのアラームステータスについて、表示欄５６に示された「プライオリティ」を「中位」（Ｍｉｄ）から「高」（Ｈｉｇｈ）に修正した例を示している（図３参照）。なお、プライオリティの修正に伴い、上記の条件付きルールが属性データ格納ファイル２４のデータに反映され、表示欄５７の「監視モニタにおける表示色」は「青色」（Blue）から「赤色」（Ｒｅｄ）に自動的に切り替わる。
【００３０】
図４に示すように、デフォルト表示としてアラームルールに従って一括して定められたアラームステータスの属性が表示されるとともに、属性が修正された領域６１、領域６２および領域６３における表示形態をデフォルト表示と異なるものとすることで、修正部分を明示している。
【００３１】
図５は、デフォルト表示をせず、修正部分のみを表示する例を示している。このように、表示画面１５上でのデフォルト表示の有無を、ユーザの操作に基づいて切り替えることができる。
【００３２】
以上の操作より作成された属性データ格納ファイル２４は、フィールド制御システムに転送され、アラーム処理に反映される。
【００３３】
以上のように、本実施形態のアラーム定義装置によれば、ユーザによるアラームルールの入力を受け付け、アラームルールに従ってアラームステータスの属性を一括して定めることができる。また、アラームルールから外れるアラームステータスについては、個別に属性を修正することができる。このため、プラントの特性に応じた属性の組み合わせの傾向を用いて、簡単な入力操作のみで大量のアラームステータスについてその属性を設定することができる。また、修正が必要な部分については属性を個別に設定することができる。
【００３４】
なお、比較的小規模のプラントでは、アラームルールを用いることなくアラームステータスに対して個別に属性を指定した方が入力操作の手間が少なくなる場合もあり、このような場合には修正入力受付手段１３を介する入力操作のみで属性を設定することもできる。
【００３５】
以上説明したように、本発明のアラーム定義装置によれば、属性間におけるルールの入力を受け付けるとともに、受け付けられたルールに従ってアラームステータスの属性を一括して規定できるので、アラームステータスの属性を指定する際のエンジニアリング作業負担を軽減することができる。
【００３６】
本発明の適用範囲は上記実施形態に限定されることはない。本発明は、プラントのアラームステータスごとにその属性を定義付けるアラーム定義装置およびアラーム定義方法に対し、広く適用することができる。
【符号の説明】
【００３７】
１１    ルール入力受付手段
１２    属性規定手段
１３    修正入力受付手段
【図１】
2010191646.tif 000003
【図２】
2010191646.tif 000004
【図３】
2010191646.tif 000005
【図４】
2010191646.tif 000006
【図５】
2010191646.tif 000007